【事件の表示】
　特願２００７−４２５８５「状態復帰可能な刺繍ミシン」拒絶査定不服審判事件〔平成１９年５月２４日出願公開、特開２００７−１２５４４４〕について、次のとおり審決する。
【結　論】
　本件審判の請求は、成り立たない。
【理　由】
　１．手続の経緯
　本願は、平成８年１０月１６日に出願された平成８年特許願第２９３１３７号の一部を新たな特許出願としたものであって、平成２０年３月６日付けで拒絶査定がなされ、これに対し、平成２０年４月１５日に拒絶査定不服審判の請求がなされたものである。その後、平成２１年８月２７日付けで当審から拒絶の理由が通知され、それに対し、平成２１年１０月２９日に特許請求の範囲と明細書を対象とする手続補正がなされたものである。
　
　２．本願発明
　本平成２１年１０月２９日になされた手続補正によって補正された特許請求の範囲及び明細書の記載からみて、本願の請求項１ないし３に係る発明は、それら請求項に記載された事項によって特定されるものと認められるところ、請求項１の記載は次のとおりである。（以下、請求項１に係る発明を「本願発明」という。）
「電源からの電力の供給を受けて駆動する刺繍ミシンであって、
Ｘ−Ｙ移動機構のＸ−Ｙ方向位置による縫い目位置を逐次保存した状態とする状態保存であって、少なくとも該電力の供給が断たれる直前の刺繍縫いの縫い目位置とミシンの状態を記憶し、該電力が断たれた後も該刺繍縫いの縫い目位置と状態とを保存する状態保存装置と、
次の電源オンの再開にあたって、保存状態読込みスイッチの操作により前記状態保存装置に保存された電力の供給が断たれる直前の刺繍縫いの縫い目位置と状態を読み込んで、ミシンを保存された電力の供給が断たれる直前の刺繍縫いの縫い目位置と状態に復帰させる手段とを備え、
電源がオフになった時、その直前の刺繍縫いの縫い目位置とミシンの状態を状態保存装置に保存し、次に電源をオンとした時に操作される前記保存状態読込みスイッチにより状態保存装置から電力の供給が断たれる直前の刺繍縫いの縫い目位置と状態を読み込むことにより、ミシンを保存された電力の供給が断たれる直前の刺繍縫いの縫い目位置と状態に復帰させることを特徴とする状態復帰可能な刺繍ミシン。」
　
　３．引用例の記載事項
　当審の拒絶の理由に引用した、本願の出願前に頒布された刊行物である特開平４−１５０７９号公報（以下、「引用例１」という。）には、図面と共に次の記載がある。
　ａ「本発明は、停電等の電源の異常により中断した刺繍作業を、自動的、かつ、安全に再開させる刺繍ミシンに関する。」（１頁右下欄７〜９行）
　ｂ「本発明の刺繍ミシンは、電動機を動力源とし…動作する。」（２頁左下欄６〜７行）
　ｃ「刺繍ミシン１０は…公知の一針データを作成し…刺繍枠５０のＸ−Ｙ方向の移動を制御する。」（２頁右下欄９〜１５行）
　ｄ「移動する刺繍枠５０の現在位置を検出するため、Ｘ方向の移動量をカウントするカウンタ５３Ｘ、Ｙ方向の移動量をカウントするカウンタ５３Ｙが設けらている。」（３頁右上欄１〜４行）
　ｅ「刺繍作業が良好に継続されるために必要な条件として、システム電源電圧…の自己診断…及び…操作者によって入力される中断指令の確認を行い（ステップ１３０）、何等かの不具合が発生しており刺繍作業の停止が必要であると判断されると（ステップ１４０）、刺繍作業を中断する中断処理（ステップ１５０）を実行して『ｐａｕｓｅ』状態へと移行する。」（４頁左上欄６〜１４行）
　ｆ「中断処理とは、刺繍作業を再開する際に必要な各種情報である現在のカウンタ５３Ｘ、５３Ｙのカウント値［Ｘｐ、Ｙｐ］、現在の一針データの出力状況などのコントローラ内部状態を電源バックアップされたＲＡＭ３０Ｃの記憶領域に記憶して刺繍作業を中止する処理であり、この処理後のコントローラ３０の状態を『ｐａｕｓｅ』状態とよび…プログラム終了時の『ｅｎｄ』状態と区別する。」（４頁左上欄１５行〜右上欄３行）
　ｇ「刺繍作業実行の途中においてシステム電源異常が発生したとき、刺繍ミシン１０は『ｐａｕｓｅ』状態に維持される。そして、システム電源が回復して刺繍作業が可能となったとき、操作者が…電源復帰プログラムを起動するならば、刺繍ミシン１０を『ｐａｕｓｅ』状態から刺繍作業実行プログラムの実行状態へと制御することができる。」（４頁右上欄１７行〜左下欄４行）
　ｈ「第５図は、その電源復帰プログラムのフローチャートである。このプログラムが起動されると、ＲＡＭ３０Ｃの電源バックアップされた記憶領域をアクセスし、電源異常時の中断処理（ステップ１５０）により格納されたコントローラ内部状態を読み出す（ステップ２００）。そして、現在の刺繍枠５０の位置を把握するためにカウンタ５３Ｘ、５３Ｙから現在のカウント値［Ｘ、Ｙ］を読み込み（ステップ２１０）、コントローラ内部状態として記憶していたカウント値［Ｘｐ、Ｙｐ］と一致するか否かを判断する（ステップ２２０）。　システム電源異常が発生してから電源回復までの間に刺繍枠５０が何等かの理由で移動しているときには、ステップ２２０の判断は否定的となる。そこで、この場合には直ちにＸ−Ｙモータコントローラ３０Ｄへ制御信号を出力して刺繍枠５０を駆動し（ステップ２３０）、再度ステップ２１０へ戻る処理をカウント値［Ｘ、Ｙ］と記憶されたカウント値［Ｘｐ、Ｙｐ］が一致するまで繰り返す。　ステップ２２０の判断処理で肯定的に判定されたとき、すなわち、システム電源の異常発生のために刺繍作業を中断した位置と刺繍枠５０の現在位置とが一致したとき、コントローラ内部情報としてＲＡＭ３０Ｃに退避していたその他の情報を刺繍作業再開のために引渡しを要求する他のプログラム等に引渡し（ステップ２４０）、前記刺繍作業実行プログラムに戻って刺繍作業を再開する。この処理により、コントローラ３０は、システム電源異常が発生した時点と全く同一の状態に復帰し、中断していた刺繍作業を継続することができる。」（４頁左下欄５行〜右下欄１５行）
　以上の記載及び図面によれば、引用例１には、次の発明が記載されているといえる。（以下、「引用発明」という。）
「電源からの電力の供給を受けて駆動する刺繍ミシン１０であって、
　刺繍枠５０を駆動する機構のＸ方向及びＹ方向の移動量のカウント値を保存した状態とする中断処理であって、電力の供給がなくなり刺繍作業を中断する時のカウント値と一針データの出力状況などのコントローラ内部状態を記憶し、該電力の供給がなくなった後も該カウント値とコントローラ内部状態とを保存する、ＲＡＭ３０Ｃの電源バックアップされた記憶領域を備えており、
　電源が回復して刺繍作業が可能となったとき、操作者が電源復帰プログラムを起動することにより、ＲＡＭに保存されたカウント値とコントローラ内部状態を読み込んで、ミシンを電力の供給がなくなり刺繍作業を中断した時の状態に復帰させる電源復帰プログラムを備え、
　電力の供給がなくなり刺繍作業を中断する時、その時のカウント値と一針データの出力状況などのコントローラ内部状態をＲＡＭの電源バックアップされた記憶領域に保存し、
　電源が回復して刺繍作業が可能となった時に操作者が起動する電源復帰プログラムにより、ＲＡＭから保存されたカウント値とコントローラ内部状態を読み込むことにより、電力の供給がなくなり刺繍作業を中断した時の状態にミシンを復帰させることができる刺繍ミシン。」
　
　４．対比
　本願発明と引用発明とを対比すると、
　ａ．引用発明の「刺繍枠５０を駆動する機構」は、本願発明の「Ｘ−Ｙ移動機構」に相当し、同様に、
　ｂ．「Ｘ方向及びＹ方向の移動量のカウント値」は「Ｘ−Ｙ方向位置による縫い目位置」及び「刺繍縫いの縫い目位置」に、
　ｃ．「中断処理」は「状態保存」に、
　ｄ．「電力の供給がなくなり刺繍作業を中断する時」は「電力の供給が断たれる直前」に、
　ｅ．「一針データの出力状況などのコントローラ内部状態」は「ミシンの状態」及び「状態」に、
　ｆ．「ＲＡＭ３０Ｃの電源バックアップされた記憶領域」は「状態保存装置」に、
　ｇ．「電源が回復して刺繍作業が可能となったとき」は「次の電源オンの再開にあたって」に、それぞれ相当する。
　ｈ．また、引用発明の「操作者が電源復帰プログラムを起動すること」と、本願発明の「保存状態読込みスイッチの操作」とは、操作者がミシンに状態復帰動作を指示することである限りにおいて一致する。
　ｉ．さらに、引用発明の「ミシンを電力の供給がなくなり刺繍作業を中断した時の状態に復帰させる電源復帰プログラム」は、本願発明の「ミシンを保存された電力の供給が断たれる直前の刺繍縫いの縫い目位置と状態に復帰させる手段」に相当し、同様に、
　ｊ．「電力の供給がなくなり刺繍作業を中断する時、その時のカウント値と一針データの出力状況などのコントローラ内部状態をＲＡＭの電源バックアップされた記憶領域に保存し」は、「電源がオフになった時、その直前の刺繍縫いの縫い目位置とミシンの状態を状態保存装置に保存し」に、
　ｋ．「電源が回復して刺繍作業が可能となった時に操作者が起動する」は「次に電源をオンとした時に操作される」に、
　ｌ．「ＲＡＭから保存されたカウント値とコントローラ内部状態を読み込むことにより、電力の供給がなくなり刺繍作業を中断した時の状態にミシンを復帰させる」は、「状態保存装置から電力の供給が断たれる直前の刺繍縫いの縫い目位置と状態を読み込むことにより、ミシンを保存された電力の供給が断たれる直前の刺繍縫いの縫い目位置と状態に復帰させる」に、それぞれ相当する。
　そして、上記ｌなどから、引用発明の刺繍ミシン１０は、状態復帰可能な刺繍ミシンであるといえる。
　
　そうすると、両者は、
「電源からの電力の供給を受けて駆動する刺繍ミシンであって、
　Ｘ−Ｙ移動機構のＸ−Ｙ方向位置による縫い目位置を逐次保存した状態とする状態保存であって、少なくとも該電力の供給が断たれる直前の刺繍縫いの縫い目位置とミシンの状態を記憶し、該電力が断たれた後も該刺繍縫いの縫い目位置と状態とを保存する状態保存装置と、
　次の電源オンの再開にあたって、操作者がミシンに状態復帰動作を指示することにより、前記状態保存装置に保存された電力の供給が断たれる直前の刺繍縫いの縫い目位置と状態を読み込んで、ミシンを保存された電力の供給が断たれる直前の刺繍縫いの縫い目位置と状態に復帰させる手段とを備え、
　電源がオフになった時、その直前の刺繍縫いの縫い目位置とミシンの状態を状態保存装置に保存し、次に電源をオンとした時に操作者がミシンに状態復帰動作を指示することにより、状態保存装置から電力の供給が断たれる直前の刺繍縫いの縫い目位置と状態を読み込むことにより、ミシンを保存された電力の供給が断たれる直前の刺繍縫いの縫い目位置と状態に復帰させる状態復帰可能な刺繍ミシン。」
である点で一致し、次の点で相違する。
　
　　《相違点１》
　本願発明では、Ｘ−Ｙ移動機構のＸ−Ｙ方向位置による縫い目位置を逐次保存するのに対し、引用発明では中断処理において保存する点。
　　《相違点２》
　本願発明では、状態復帰動作の指示を、スイッチの操作により行うのに対して、引用発明では、指示（電源復帰プログラムの起動）を、スイッチの操作により行うかどうか不明である点。
　
　５．相違点の検討
　相違点１について検討すると、マイコン等を利用した装置において、電力の供給が断たれても記憶を保持できるバックアップメモリを設け、一部の重要な情報を逐次バックアップメモリに保存しておくことは、例えば当審の拒絶の理由に引用した引用例２（特開昭５６−２７２９２号公報）の４頁右上欄１２行〜左下欄１９行、特開平３−４８９１５号公報の４頁右上欄１９行〜左下欄７行、特開平５−３２９４７８号公報の段落００１８・００１９に記載されており周知であるから、引用発明にこの周知の技術を適用して、縫い目位置を逐次保存するする構成とすることは、当業者が容易に推考し得たことである。
　相違点２について検討すると、操作者が指示する際に、スイッチの操作によって行うことは慣用手段であるから、引用発明において電源復帰プログラムの起動を指示するための操作スイッチを設けることは、当業者が容易に推考し得たことである。
　そして、本願発明が奏する効果も、引用発明及び周知の技術から当業者が予測できたものであって、格別顕著なものとはいえない。
　したがって、本願発明は、引用発明及び周知の技術に基いて、当業者が容易に発明をすることができたものであるから、特許法第２９条第２項の規定により、特許を受けることができないものである。
　
　６．まとめ
　以上のとおり、本願発明は、特許法第２９条第２項の規定により特許を受けることができないものであるから、他の請求項に係る発明について検討するまでもなく、本願は拒絶されるべきものである。
　よって、結論のとおり審決する。